(57)【特許請求の範囲】
【請求項１】
便器と、
該便器上に載置される便座と、
人体局部を洗浄する洗浄手段と、
該洗浄手段を備えた本体と、
該本体に配設されたスイッチパネルと、
該スイッチパネルに設けられ、一列に配置された複数のスイッチボタンと、
前記スイッチパネル内の各々のスイッチボタン横に夫々、操作時に使用者の指を前記スイッチボタンの中心へと案内する半円状の凹部を有する複数の指掛かり部材と、を備える人体局部洗浄装置。
【請求項２】
便器と、
該便器上に載置される便座と、
人体局部を洗浄する洗浄手段と、
該洗浄手段を備えた本体と、
該本体から離間したリモコン部材と、
該リモコン部材に配設されたスイッチパネルと、
該スイッチパネルに設けられた一列に配置された複数のスイッチボタンと、
前記スイッチパネル内の各々のスイッチボタン横に夫々、操作時に使用者の指を前記スイッチボタンの中心へと案内する半円状の凹部を有する複数の指掛かり部材と、を備える人体局部洗浄装置。
【発明の詳細な説明】
【技術分野】
【０００１】
本発明は、洗浄ノズルを有した人体局部洗浄装置に関し、詳しくはこの人体局部洗浄装置における人体局部の洗浄、乾燥、脱臭等の機能を操作するスイッチボタンを備えた人体局部洗浄装置に関する。
【背景技術】
【０００２】
図５に示すごとくの人体局部洗浄装置９がある。この人体局部洗浄装置９は、同図に示すごとく、少なくとも洗浄ノズル６１、６２等よりなる洗浄手段６と温風乾燥手段（図示略）とを有する本体１０を主体として構成されている。また本体１０には、洗浄手段６、温風乾燥手段等を操作するための操作スイッチパネル９５を側部の上方に設けてある。なお本体１０は、便座８１、便蓋８２をも備え、陶器製の便器８３の上方に配設される。
【０００３】
また、特開昭６３―２１０３１９号公報に示すように、人体局部洗浄装置の洗浄手段、温風乾燥手段等を操作するためスイッチが配備されたスイッチボタンが、人体局部洗浄装置のケーシングの袖部上面に平面的に配置されている。
【先行技術文献】
【特許文献】
【０００４】
【特許文献１】特開昭６３―２１０３１９号公報
【発明の概要】
【発明が解決しようとする課題】
【０００５】
しかしながら、図１１の技術は操作スイッチのパネル９５がフラットであり、使用者がスイッチを目視で確認して操作しなくてはならないという煩わしさがある。また特開昭６３−２１０３１９号公報も同様、人体局部洗浄装置の袖部上面に平面的に配置されており、洗浄手段の操作をするために使用者はスイッチを目視で確認して操作しなくてはならないという煩わしさがある。又、各機能を操作する場合にスイッチボタンの各スイッチ表示部の中心に正しく指を当てて押さなければスイッチが起動しないおそれがある。
【０００６】
本発明は上記課題を解決したもので、使用者は洗浄手段等の操作をするためにスイッチを目視しなくても操作をすることができる人体局部洗浄装置を提供するものである。
【課題を解決するための手段】
【０００７】
上記技術的課題を解決するために講じた第１の技術的手段は、便器と、該便器上に載置される便座と、人体局部を洗浄する洗浄手段と、該洗浄手段を備えた本体と、該本体に配設されたスイッチパネルと、該スイッチパネルに設けられた一列に配置された複数のスイッチボタンと、前記スイッチパネル内の各々のスイッチボタン横に夫々、操作時に使用者の指を前記スイッチボタンの中心へと案内する半円状の凹部を有する複数の指掛かり部材とを備える構成としたことである。
【０００９】
また、上記技術的課題を解決するために、講じた第２の技術的手段は、便器と、該便器上に載置される便座と、人体局部を洗浄する洗浄手段と、該洗浄手段を備えた本体と、該本体から離間したリモコン部材と、該リモコン部材に配設されたスイッチパネルと、該スイッチパネルに設けられた一列に配置された複数のスイッチボタンと、前記スイッチパネル内の各々のスイッチボタン横に夫々、操作時に使用者の指を前記スイッチボタンの中心へと案内する半円状の凹部を有する複数の指掛かり部材とを備える構成としたことである。
【発明の効果】
【００１０】
本発明は、以下の如く効果を有する。
【００１１】
即ち、上記した第１の技術的手段によれば、使用者は洗浄手段等の操作をするためにスイッチを目視しなくても操作をすることができるといった効果を有する。
【００１６】
また、上記した第２の技術的手段による効果は、以下のようである。
【００１７】
即ち、使用者は洗浄手段等の操作をするためにリモコン部材のスイッチを目視しなくても操作をすることができるといった効果を有する。
【図面の簡単な説明】
【００１８】
【図１】本発明の人体局部洗浄装置の全体斜視図。
【図２】本発明の図1のスイッチボタン付近の拡大斜視図。
【図３】図２のＡ−Ａ線断面図。
【図４】図２のＢ−Ｂ線断面図。
【図５】本発明の第２実施例を示すスイッチボタン付近の拡大斜視図。
【図６】図５のＣ−Ｃ線断面図。
【図７】図５のＤ−Ｄ線断面図。
【図８】本発明の第３実施例を示すスイッチボタン付近の拡大斜視図。
【図９】図８のＥ−Ｅ線断面図。
【図１０】本発明の第４実施例を示す人体局部洗浄装置の全体斜視図。
【図１１】従来の人体局部洗浄装置の全体斜視図。
【発明を実施するための形態】
【００１９】
以下、本発明の実施例について、図面に基づいて説明する。
【００２０】
本発明の人体局部洗浄装置１は、図１に示すごとく、洗浄手段６と温風乾燥手段（図示略）とを有する本体１０と、本体１０に設けた本体スイッチパネル２とよりなる。
【００２１】
上記各手段は本体スイッチパネル２により操作できるように構成してある。上記本体１０は、洗浄ノズル６１、６２等よりなる洗浄手段６、温風乾燥手段を有している。また本体１０は、便座８１、便蓋８２を備え、陶器製便器８３の上方に配置してある。
【００２２】
図２は図1の人体局部洗浄装置１の本体１０のスイッチボタン付近を拡大した斜視図である。本体１０の側部上面には、上記本体スイッチパネル２を配置してある。この本体スイッチパネル２は、図２に示すごとく、肛門洗浄、ビデ洗浄、温風乾燥等の作動をストップさせるストップスイッチボタン２０、肛門洗浄用操作スイッチボタン２１、ビデ洗浄用操作スイッチボタン２２、温風を吹き出させるドライスイッチボタン２３、温風温度表示ランプ２３Ｌが配設されている。
【００２３】
また、スイッチパネル２には便座温度切換スイッチ２４、便座温度表示ランプ２５、温水温度切換スイッチ、温水温度表示ランプ２７が配置されている。また本体１０の前方には水量調節ダイヤル３０が配設されている。この水量調節ダイヤルはダイヤルを回転することにより水量調節をすることができる。
【００２４】
図２〜図４（図３は図２のＡ−Ａ線断面図、図４は図２のＢ−Ｂ線断面図）に示すように、スイッチパネル２の配列されているストップスイッチボタン２０、肛門洗浄用操作スイッチボタン２１、ビデ洗浄用操作スイッチボタン２２、温風を吹き出させるドライスイッチボタン２３の周縁部には指掛かり部材２０Ａ、２１Ａ、２２Ａ、２３Ａが設けられている。この各指掛かり部材２０Ａ〜２３Ａには凹部２０Ｂ〜２３Ｂが形成されている。この凹部２０Ｂ〜２３Ｂは図３、図４に示すように、前記本体袖部１０の幅方向（図1のＲ−Ｓ方向）に沿ってくり貫かれた略半円筒状になっている。この形状であることにより、使用者は洗浄手段等の操作をするために本体のスイッチを目視しなくても操作をすることができる。また、使用者の指が前記スイッチの押圧中心に本体袖部の幅方向に沿って案内されて押圧できるようにすることができ、正確にスイッチボタンを押圧することができる。
【００２５】
なお、本実施例では、ストップスイッチボタン２０、肛門洗浄用操作スイッチボタン２１、ビデ洗浄用操作スイッチボタン２２、温風を吹き出させるドライスイッチボタン２３の周縁部の一部に指掛かり部材２０Ａ〜２３Ａを設けたが、その中の１つのストップスイッチボタン２０だけでもよくその他種々のスイッチボタンに適用されてもよい。また本実施例では指掛け部材を別体としているがスイッチボタンのパネル２と一体にしてもよい。
【００２６】
なお、図２及び図３において、本体１０のスイッチボタン近傍に開口された開口部３０が形成されている。スイッチパネル２の上面には洗浄スイッチ等が印刷されたフィルムＦが貼付されている。この本体１０のスイッチボタン２０〜２３下方にはスイッチＳ等が配設された基板５０が配設されている。これらスイッチＳとフィルムＦとの間にはスイッチキーＫが配設され、フィルムＦの下方への押圧により、スイッチＳの切替えが行われ、人体局部洗浄装置の各種機能の作動（機能のストップ、洗浄、乾燥等）が行われる。
【００２７】
図５、図６は本実施例の第2の実施例である。本第2実施例のように、スイッチボタン２０〜２３の上部に指掛かり部材１２０Ａ〜１２３Ａを配設してもよい。この各指掛かり部材１２０Ａ〜１２３Ａには凹部１２０Ｂ〜１２３Ｂが形成されており、図６、図７に示すように、前記本体袖部１０の幅方向（図５のＲ−Ｓ方向）に沿ってくり貫かれた略半円筒状になっている。この形状であることにより、使用者は洗浄手段等の操作をするために本体のスイッチを目視しなくても操作をすることができる。また、使用者の指が前記スイッチの押圧中心に本体袖部の幅方向に沿って案内されて押圧できるようにすることができ、正確にスイッチボタンを押圧することができる。その他は第１実施例と同一であるので説明は省略する。
【００２８】
また、図８、図９は本発明の第３実施例である。第３実施例では、指掛かり部材２２０〜２２３が各スイッチボタン２０〜２３面上に凸部２２０Ｂ〜２２３Ｂが形成された形状である。その他は第１実施例と同一であるので説明は省略する。
【００２９】
図１０は本発明の第４実施例である。第４実施例では本体１０の一部は各スイッチ２０〜２２の近傍に凹部３２０Ｂ〜３２２Ｂが配設されている。使用者はまず凹部３２０Ｂ〜３２２Ｂに手を置き、予め憶えておいていたスイッチの順番で自分の操作したいスイッチを凹部で確認してその横にあるスイッチを押すことができる。
【００３０】
また、本実施例では、複数のスイッチボタンの周縁部を凹凸形状を同じにしたが、それぞれ形状を異ならせる（半円、三角、四角等）ことにより、今どのスイッチボタンを押圧しているか目視しないでも確認できる。
【００３１】
なお本実施例では本体やスイッチパネルに凹凸形状を配設したが、リモコンによって各種スイッチを作動させるリモコン部材（図示略）の本体やスイッチパネルに第１実施例〜第４実施例のような凹凸形状を配設して目視で確認できるようにしてもよい。またスイッチパネルの凹凸形状を凸版印刷で作成してもよい。
【符号の説明】
【００３２】
８３…便器  
８１…便座  
６…洗浄手段  
１０…本体  
２…スイッチパネル  
２０〜２３…スイッチボタン  
２０Ａ〜２３Ａ、１２０Ａ〜１２３Ａ、２２０Ａ〜２２３Ａ…指掛け部材  
２０Ｂ〜２３Ｂ、１２０Ｂ〜１２３Ｂ、２２０Ｂ〜２２３Ｂ、３２０Ｂ〜３２３Ｂ…凹部  
１…人体局部洗浄装置  
【図１】
0004858585.tif 000002
【図２】
0004858585.tif 000003
【図３】
0004858585.tif 000004
【図４】
0004858585.tif 000005
【図５】
0004858585.tif 000006
【図６】
0004858585.tif 000007
【図７】
0004858585.tif 000008
【図８】
0004858585.tif 000009
【図９】
0004858585.tif 000010
【図１０】
0004858585.tif 000011
【図１１】
0004858585.tif 000012